(57)【特許請求の範囲】
【請求項１】
透液性表面シートと裏面シートとの間に吸収体が介在された吸収性物品において、
前記吸収体の体液排出部位に対応する領域の両側部にそれぞれ、幅方向に沿うとともに前後に離間する２本のスリットが設けられ、前記スリットを内側に延長した仮想線の交点が体液排出部位の中心部に位置するように配置され、前記スリットで前後が区切られた領域において、前記吸収体と前記透液性表面シートとが非接合とされるとともに、前記吸収体と前記裏面シートとが接合され、この領域より幅方向中央側において、前記吸収体と前記裏面シートとが非接合とされるとともに、前記吸収体と前記透液性表面シートとが接合され、
前記スリットで前後が区切られた領域は、装着時に幅方向両側から内側に向かう圧力によって、幅方向中央側に隣接する吸収体の非肌側に入り込むように変形し、幅方向中央部の吸収体を肌側に隆起させるように作用する吸収体変形領域となっていることを特徴とする吸収性物品。
【請求項２】
前記吸収性物品の幅方向中央部に肌側に高い吸収体の中高部が設けられるとともに、前記スリットが前記中高部より幅方向外側に形成されている請求項１記載の吸収性物品。
【請求項３】
体液排出部位に対応する領域の両側部にそれぞれ、前記透液性表面シートの外面側から前記裏面シート側に向けて窪む圧搾溝が形成されるとともに、前記圧搾溝は、前記スリットにおいて離間するように形成されている請求項１、２いずれかに記載の吸収性物品。
【請求項４】
前記スリットは、前記吸収体の側縁から体液排出部位の中心部に向けて直線状に延びるか、前記吸収体の側縁から体液排出部位の中心部に向けて長手方向中心線側に膨出する曲線状に延びている請求項１〜３いずれかに記載の吸収性物品。
【請求項５】
前記スリットは、連続線又は間欠線からなる請求項１〜４いずれかに記載の吸収性物品。
【請求項６】
前記吸収体は、肌側に配置された上層と、非肌側に配置された下層とからなり、前記下層に前記スリットが形成され、前記上層には前記スリットが形成されていない請求項１〜５いずれかに記載の吸収性物品。
【請求項７】
肌当接面側の両側部にそれぞれ立体ギャザーを形成するサイド不織布が配設され、前記サイド不織布は、前記吸収体変形領域と重なる領域が、非肌当接面側の部材に接着しない非接着領域とされ、それ以外の領域が、非肌当接面側の部材に接着する接着領域とされている請求項１〜６いずれかに記載の吸収性物品。
【請求項８】
肌当接面側の両側部にそれぞれ立体ギャザーを形成するサイド不織布が配設され、前記サイド不織布は、前記スリットと重なる領域が、非肌当接面側の部材に接着しない非接着領域とされ、それ以外の領域が、非肌当接面側の部材に接着する接着領域とされている請求項１〜６いずれかに記載の吸収性物品。
【発明の詳細な説明】
【技術分野】
【０００１】
本発明は、主には生理用ナプキン、おりものシート、失禁パッド、トイレタリー等に使用される吸収性物品であって、詳しくは吸収体の体液排出部位に対応する領域の両側部にそれぞれ２本のスリットが設けられ、前記スリットで前後が区切られた領域が、装着時の脚圧によって幅方向中央側に隣接する吸収体の非肌側に入り込むように変形し、幅方向中央部の吸収体を肌側に隆起させるように作用する吸収体変形領域となっている吸収性物品に関する。
【背景技術】
【０００２】
従来より、パンティライナー、生理用ナプキン、失禁パッドなどの吸収性物品として、ポリエチレンシートまたはポリエチレンシートラミネート不織布などの不透液性裏面シートと、不織布または透液性プラスチックシートなどの透液性表面シートとの間に綿状パルプ等からなる吸収体を介在したものが知られている。
【０００３】
かかる吸収性物品にも幾多の改良が重ねられ、装着時の身体に対するフィット性を向上させたものが種々開発されている。例えば、下記特許文献１においては、吸収体が中高部の側縁の内側及び外側に、内側スリット列及び外側スリット列を有し、両スリット列は、それぞれ、前後方向に延びる縦スリットを前後方向に間欠に形成してなる吸収性物品が開示されている。かかる吸収性物品によれば、中高部の両側縁の内側及び外側に、内側スリット列及び外側スリット列を有するため、ナプキンが着用時に変形するときに、吸収体は中高部とその両側に位置する部分の境界部で、緩やかに曲がるとともに、中高部の側縁の内外においても、吸収体が、内側スリット列及び外側スリット列を構成する分散した個々の縦スリットを折りの基点としても変形する。そのため、吸収体は、中高部の側縁付近において、横方向に沿う断面が緩やかな曲線を描くように曲がり、また、ナプキンの装着位置が前後にずれても、吸収体が、中高部の側縁付近において確実に曲がり、吸収性本体の側部にヨレが生じにくい、などの効果が記載されている。
【０００４】
また、下記特許文献２においては、吸収性物品の肌当接面側に、圧搾条溝が、少なくとも長手方向中心線に関して対称となり、かつ吸収層中央部を囲むように設けられ、該圧搾条溝には、長手方向中心線を跨いで左右一対の間欠部分が形成された吸収性物品が開示されている。かかる吸収性物品によれば、長手方向中心線を跨いで左右一対となるように設けられた間欠部分により、吸収層中央部の隆起する位置を規定しながら、吸収層中央部を身体に向かって隆起させることができ、ヨレの発生を防ぐことができる。また、この隆起した時の吸収層中央部の断面形状は台形型となるため、吸収体の吸収面積を広く設けることができる、などの効果が記載されている。
【０００５】
更に、下記特許文献３においては、吸収体は、少なくとも上層及び下層の２層を備え、前記上層と下層のそれぞれは、吸収体の長手方向の両側部に位置する部分それぞれに、複数本の切れ込みを有しており、上層における切れ込みと、下層における切れ込みとが、吸収体の長手方向において、重ならない位置に形成されている吸収性物品が開示されている。かかる吸収性物品によれば、吸収体の長手方向の両側部が、シート状吸収体の切れ込みが開くことによって柔軟に伸長するため、ナプキンに対して、その長手方向の断面形状を上方に向かって凹に変形させるような力が加わったときに、吸収体の長手方向の両側部がスムーズに伸長して、吸収体は、その長手方向の断面が肌当接面側に凹に緩やかに湾曲した形状となり、幅方向の断面も肌当接面側に凸に緩やかに湾曲した形状となる。そのため、伸長した吸収体の両側部は、外力を受けて収縮することもできるため、着用者の動きに対する追従性にも優れており、着用者の身体形状にフィットした状態が安定に維持される、などの効果が記載されている。
【先行技術文献】
【特許文献】
【０００６】
【特許文献１】特開２０１５−５１１７１号公報
【特許文献２】特開２００９−２７３７２４号公報
【特許文献３】特開２０１３−５２２９０号公報
【発明の概要】
【発明が解決しようとする課題】
【０００７】
しかしながら、上記特許文献１〜３記載の吸収性物品では、装着時に脚の付け根の内側部分によって幅方向両側から内側に向かう圧力（脚圧）が作用したとき、吸収体の両側部が極端に内側に変形して、各吸収性物品の緩やかな変形状態が維持できず、身体とのフィット性が低下するおそれがあった。また、フィット性の低下により、肌面との間に隙間が生じて肌面を伝う体液の漏れにつながるおそれもあった。
【０００８】
そこで本発明の主たる課題は、装着時に幅方向両側から内側に向かう脚圧が作用したときでも、身体とのフィット性に優れ、漏れを防止した吸収性物品を提供することにある。
【課題を解決するための手段】
【０００９】
上記課題を解決するために請求項１に係る本発明として、透液性表面シートと裏面シートとの間に吸収体が介在された吸収性物品において、
前記吸収体の体液排出部位に対応する領域の両側部にそれぞれ、幅方向に沿うとともに前後に離間する２本のスリットが設けられ、前記スリットを内側に延長した仮想線の交点が体液排出部位の中心部に位置するように配置され、前記スリットで前後が区切られた領域において、前記吸収体と前記透液性表面シートとが非接合とされるとともに、前記吸収体と前記裏面シートとが接合され、この領域より幅方向中央側において、前記吸収体と前記裏面シートとが非接合とされるとともに、前記吸収体と前記透液性表面シートとが接合され、
前記スリットで前後が区切られた領域は、装着時に幅方向両側から内側に向かう圧力によって、幅方向中央側に隣接する吸収体の非肌側に入り込むように変形し、幅方向中央部の吸収体を肌側に隆起させるように作用する吸収体変形領域となっていることを特徴とする吸収性物品が提供される。
【００１０】
上記請求項１記載の発明では、前記吸収体の体液排出部位に対応する領域の両側部にそれぞれ、幅方向に沿うとともに前後に離間する２本のスリットが設けられ、前記スリットを内側に延長した仮想線の交点が体液排出部位の中心部に位置するように配置されている。また、前記スリットで前後が区切られた領域において、前記吸収体と透液性表面シートとが非接合とされるとともに、前記吸収体と前記裏面シートとが接合され、この領域より幅方向中央側において、前記吸収体と裏面シートとが非接合とされるとともに、前記吸収体と前記透液性表面シートとが接合されている。これによって、前記スリットで前後が区切られた領域は、装着時に幅方向両側から内側に向かう圧力（脚圧）によって、幅方向中央側に隣接する吸収体の非肌側に入り込むように変形し、幅方向中央部の吸収体を肌側に隆起させるように作用する吸収体変形領域となっている。このように、前記吸収体変形領域を形成することによって、装着時に幅方向両側から内側に向かう脚圧が作用したときでも、前記吸収体変形領域が幅方向中央側の吸収体の非肌側に入り込むように変形し、幅方向中央部の吸収体を肌側に隆起させるため、身体とのフィット性に優れるとともに、吸収性物品と肌面との間に隙間が生じないので肌面を伝う体液の漏れが防止できるようになる。
【００１１】
請求項２に係る本発明として、前記吸収性物品の幅方向中央部に肌側に高い吸収体の中高部が設けられるとともに、前記スリットが前記中高部より幅方向外側に形成されている請求項１記載の吸収性物品が提供される。
【００１２】
上記請求項２記載の発明では、前記吸収性物品の幅方向中央部に肌側に高い吸収体の中高部が設けられるとともに、前記スリットが前記中高部より幅方向外側に形成されているため、前記吸収体変形領域が脚圧によって幅方向中央側の吸収体の非肌側に入り込むように変形したとき、前記中高部を肌側に隆起させるように作用するので、身体とのフィット性が更に向上するようになる。
【００１３】
請求項３に係る本発明として、体液排出部位に対応する領域の両側部にそれぞれ、前記透液性表面シートの外面側から前記裏面シート側に向けて窪む圧搾溝が形成されるとともに、前記圧搾溝は、前記スリットにおいて離間するように形成されている請求項１、２いずれかに記載の吸収性物品が提供される。
【００１４】
上記請求項３記載の発明では、体液排出部位に対応する領域の両側部にそれぞれ圧搾溝を形成した場合において、前記圧搾溝は、前記スリットにおいて離間するように形成されているため、前記吸収体変形領域の変形が前記圧搾溝によって阻害されることなく、脚圧によって所定の状態に変形できるようになる。また、前記吸収体変形領域に前記圧搾溝が施されることによって、この圧搾溝を基点とした変形がしやすくなる。
【００１５】
請求項４に係る本発明として、前記スリットは、前記吸収体の側縁から体液排出部位の中心部に向けて直線状に延びるか、前記吸収体の側縁から体液排出部位の中心部に向けて長手方向中心線側に膨出する曲線状に延びている請求項１〜３いずれかに記載の吸収性物品が提供される。
【００１６】
上記請求項４記載の発明では、前記スリットの平面形状として、吸収体の側縁から体液排出部位の中心部に向けて直線状に延びるように形成してもよいし、吸収体の側縁から体液排出部位の中心部に向けて長手方向中心線側に膨出する曲線状に延びるように形成してもよいこととしている。前記スリットを長手方向中心線側に膨出する曲線状に形成した場合には、脚の付け根の内側部分に沿う形状となるため、スリットに対して脚圧がほぼ均等に作用するようになり、吸収体変形領域の変形がスムーズに行われるようになるとともに、幅方向中央部の吸収体部分に余計な力が加わらずに、この部分のヨレやシワが防止でき、身体とのフィット性がより一層向上するようになる。
【００１７】
請求項５に係る本発明として、前記スリットは、連続線又は間欠線からなる請求項１〜４いずれかに記載の吸収性物品が提供される。
【００１８】
上記請求項５記載の発明では、前記スリットを連続線とした場合には、脚圧によって吸収体変形領域が変形しやすくなし、前記スリットを間欠線とした場合には、吸収体変形領域の吸収体の崩れが防止できるようになる。
【００１９】
請求項６に係る本発明として、前記吸収体は、肌側に配置された上層と、非肌側に配置された下層とからなり、前記下層に前記スリットが形成され、前記上層には前記スリットが形成されていない請求項１〜５いずれかに記載の吸収性物品が提供される。
【００２０】
上記請求項６記載の発明では、吸収体が上層と下層との２層構造とされ、下層のみに前記スリットを設けるようにしている。これによって、吸収体変形領域の吸収体の崩れが防止できるようになる。なお、本実施形態においては、装着時に脚圧を受けたとき、下層吸収体のみが幅方向中央側の吸収体の非肌側に入り込むように変形する。
【００２１】
請求項７に係る本発明として、肌当接面側の両側部にそれぞれ立体ギャザーを形成するサイド不織布が配設され、前記サイド不織布は、前記吸収体変形領域と重なる領域が、非肌当接面側の部材に接着しない非接着領域とされ、それ以外の領域が、非肌当接面側の部材に接着する接着領域とされている請求項１〜６いずれかに記載の吸収性物品が提供される。
【００２２】
上記請求項７記載の発明では、肌当接面側の両側部にそれぞれ立体ギャザーを形成するサイド不織布を配設した場合において、前記サイド不織布は、前記吸収体変形領域と重なる領域が、非肌当接面側の部材（透液性表面シート）に接着しない非接着領域とすることによって、吸収体変形領域においてサイド不織布との縁が切れるため、脚圧によって前記吸収体変形領域が内側に変形するのに伴う立体ギャザーの起立形状の変形が防止でき、立体ギャザーと身体とのフィット性が低下せず、体液の堰き止め効果が維持できるようになる。
【００２３】
請求項８に係る本発明として、肌当接面側の両側部にそれぞれ立体ギャザーを形成するサイド不織布が配設され、前記サイド不織布は、前記スリットと重なる領域が、非肌当接面側の部材に接着しない非接着領域とされ、それ以外の領域が、非肌当接面側の部材に接着する接着領域とされている請求項１〜６いずれかに記載の吸収性物品が提供される。
【００２４】
上記請求項８記載の発明では、サイド不織布をスリットと重なる領域で非接着とすることによって、脚圧による前記吸収体変形領域の変形に伴う立体ギャザーの変形を防止している。
【発明の効果】
【００２５】
以上詳説のとおり本発明によれば、装着時に幅方向両側から内側に向かう脚圧が作用したときでも、身体とのフィット性に優れ、漏れが防止できるようになる。
【図面の簡単な説明】
【００２６】
【図１】本発明に係る生理用ナプキン１の一部破断展開図である。
【図２】図１のII−II線矢視図である。
【図３】図１のIII−III線矢視図である。
【図４】(A)は変形前、(B)は変形後を示す、吸収体４の平面図である。
【図５】装着時の変形状態を示す生理用ナプキン１の横断面図（図１のII−II線矢視図）である。
【図６】変形例に係る吸収体４の平面図である。
【図７】変形例に係る吸収体４の平面図である。
【図８】変形例に係る吸収体４の平面図である。
【図９】変形例に係る生理用ナプキン１の横断面図（図１のII−II線矢視図）である。
【図１０】装着状態の変形状態を示す、変形例に係る生理用ナプキン１の横断面図（図１のII−II線矢視図）である。
【図１１】サイド不織布７の接着領域（その１）を示す、生理用ナプキン１の平面図である。
【図１２】サイド不織布７の接着領域（その２）を示す、生理用ナプキン１の平面図である。
【図１３】変形例に係る生理用ナプキン１の平面図である。
【発明を実施するための形態】
【００２７】
以下、本発明の実施の形態について図面を参照しながら詳述する。
【００２８】
〔生理用ナプキン１の基本構造〕
本発明に係る生理用ナプキン１は、図１〜図３に示されるように、ポリエチレンシートなどからなる不透液性裏面シート２と、経血やおりものなど（以下、まとめて体液ともいう。）を速やかに透過させる透液性表面シート３と、これら両シート２，３間に介装された綿状パルプまたは合成パルプなどからなる吸収体４と、肌当接面側の両側部に長手方向に沿ってほぼ全長に亘って設けられたサイド不織布７とを備え、かつ前記吸収体４の周囲においては、その上下端縁部では前記不透液性裏面シート２と透液性表面シート３との外縁部がホットメルトなどの接着剤やヒートシール、超音波シール等の接合手段によって接合され、またその両側縁部では吸収体４よりも側方に延出している前記不透液性裏面シート２と前記サイド不織布７とがホットメルトなどの接着剤やヒートシール、超音波シール等の接合手段によって接合され、これら不透液性裏面シート２とサイド不織布７とによる積層シート部分によって側方に突出するウイング状フラップＷ、Ｗが形成されているとともに、これよりも臀部側に位置する部分にヒップホールド用フラップＷＢ、ＷＢが形成されたものである。なお、図示例では、前記吸収体４の形状保持および拡散性向上のために、前記吸収体４をクレープ紙又は不織布などからなる被包シート５で囲繞しているが、この被包シート５は設けなくてもよい。
【００２９】
以下、さらに前記生理用ナプキン１の構造について詳述すると、
前記不透液性裏面シート２は、ポリエチレン等の少なくとも遮水性を有するシート材が用いられるが、蒸れ防止の観点から透湿性を有するものを用いるのが望ましい。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非肌側面（外面）にはナプキン長手方向に沿って１または複数条の粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００３０】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高で圧縮復元性が高い点で優れている。前記透液性表面シート３に多数の透孔を形成した場合には、体液が速やかに吸収されるようになり、ドライタッチ性に優れたものとなる。不織布の繊維は、長繊維または短繊維のいずれでもよいが、好ましくはタオル地の風合いを出すため短繊維を使用するのがよい。また、エンボス処理を容易とするために、比較的低融点のポリエチレンまたはポリプロピレン等のオレフィン系繊維のものを用いるのがよい。また、融点の高い繊維を芯とし融点の低い繊維を鞘とした芯鞘型繊維やサイド−バイ−サイド型繊維、分割型繊維の複合繊維を好適に用いることもできる。
【００３１】
前記不透液性裏面シート２と透液性表面シート３との間に介在される吸収体４は、たとえば綿状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００３２】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイド−バイ−サイド型繊維、分割型繊維などの複合繊維も用いることができる。前記合成繊維は、体液に対する親和性を有するように、疎水性繊維の場合には親水化剤によって表面処理したものを用いるのが望ましい。
【００３３】
本実施形態に係る生理用ナプキン１では、図１及び図２に示されるように、前記吸収体４の幅方向中央部であって体液排出部位Ｈを含む領域に、肌側に高い吸収体の中高部６を設けているが、この中高部６は設けなくてもよい。前記中高部６は、吸収体４の肌側面に隣接して配置され、吸収体４より幅寸法及び長手寸法が短く形成されている。前記中高部６の厚みは、厚くし過ぎると吸収体４の剛性が上がり身体への密着性が低下するため３〜２５mm、好ましくは５〜１８mmとするのが好ましい。
【００３４】
前記中高部６の近傍外側部位置の少なくとも両側部にそれぞれ、透液性表面シート３の外面側から不透液性裏面シート２に向けて窪む圧搾溝８を形成するのが好ましい。前記圧搾溝８は、少なくとも体液排出部位Ｈに対応する領域の両側部にそれぞれ形成され、図１に示される例では、体液排出部位Ｈ及び臀部溝の中央部を含む領域を周方向にほぼ閉合する形状で付与されている。前記圧搾溝８は、透液性表面シート３の外面側からの圧搾により、透液性表面シート３から吸収体４にかけての部材を一体的に圧搾したものである。前記圧搾溝８は中高部６の位置ズレを防止し、中高部６をきっちりと画成するとともに、臀部溝に対するフィット性を高めるために付与されている。前記圧搾溝８は、後述するスリット２０で離間して配置するのが好ましいが、これについては後段で詳細に説明する。なお、図示例では、前記圧搾溝８の前後にそれぞれ長手方向外側に膨出する曲線状の圧搾溝９，１０が形成されている。
【００３５】
前記中高部６は、少なくともパルプ繊維と合成繊維とを含むとともに、前記パルプ繊維：合成繊維との比率を重量換算で８０〜２０：２０〜８０、好ましくは４０〜６０：６０〜４０で混合したものが望ましい。また、前記中高部６は吸水性ポリマーを含有することができる。前記吸水性ポリマーとしては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する吸水性ポリマーは製造プロセスにおいて、架橋密度および架橋密度勾配を調整することにより吸水力と吸水速度の調整が可能である。配合量は中高部６が吸収体４側への浸透を促進する必要上、配合量を多くすると所謂ゲルブロッキング現象が起きるため、パルプ繊維及び合成繊維の合計重量に対して重量換算で１〜１０％の割合で配合するのが望ましい。なお、吸水性ポリマー含有率が５０％を超える場合にはパルプ繊維間の絡み合いが無くなり、シート強度が低下し破れや割れ等が発生し易くなるため望ましくない。
【００３６】
前記透液性表面シート３の幅寸法は、図示例では、図２及び図３の横断面図に示されるように、吸収体４の幅よりも若干長めとされ、吸収体４を覆うだけに止まり、それより外方側は前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されたサイド不織布７が配設されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１３〜２３ｇ／ｍ２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００３７】
前記サイド不織布７は、図２及び図３に示されるように、幅方向中間部より外側部分を所定の内側位置から不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイング状フラップＷ、Ｗを形成するとともに、これより臀部側（後部側）位置にヒップホールド用フラップＷＢ、ＷＢを形成している。これらウイング状フラップＷ、Ｗおよびヒップホールド用フラップＷＢ、ＷＢの外面側にはそれぞれ粘着剤層（図示せず）が備えられ、ショーツに対する装着時に、前記ウイング状フラップＷ、Ｗを折返し線ＲＬ位置にて反対側に折り返し、ショーツのクロッチ部分に巻き付けて止着するとともに、前記ヒップホールド用フラップＷＢをショーツの内面に止着するようになっている。
【００３８】
一方、前記サイド不織布７の内方側部分はほぼ二重に折り返されるとともに、この二重シート内部に、その高さ方向中間部に両端または長手方向の適宜の位置が固定された糸状弾性伸縮部材１１が配設されるとともに、前記糸状弾性伸縮部材１１の上側部位に複数本の、図示例では２本の糸状弾性伸縮部材１２，１２が両端または長手方向の適宜の位置が固定された状態で配設されている。この二重シート部分は前後端部では図３に示されるように、断面Ｚ状に折り畳んで積層された状態で吸収体４側に接着されることによって、図２に示されるように、前記糸状弾性伸縮部材１１配設部位を屈曲点として、断面く字状に内側に開口を向けたポケットＰ、Ｐを形成しながら表面側に起立する左右対の立体ギャザーＢＳ、ＢＳが形成されている。
【００３９】
〔吸収体変形領域について〕
本生理用ナプキン１では、図１及び図４(A)に示されるように、前記吸収体４の体液排出部位Ｈに対応する領域の両側部にそれぞれ、ナプキン幅方向に沿うとともに前後に離間する２本のスリット２０、２０が設けられ、前記スリット２０を内側に延長した仮想線Ｓの交点が体液排出部位Ｈの中心部に位置するように配置されている。
【００４０】
前記スリット２０は、吸収体４の側縁から生理用ナプキン１の長手方向中心線ＣＬに向けて所定の長さで形成された吸収体４の切り込み部である。前記スリット２０は、吸収体４の表裏を貫通するように、厚み方向に亘って形成されている。前記スリット２０においては、所定の幅を有する空間部が形成されるようにするのが好ましいが、吸収体４を構成する繊維の端部がスリット２０の側面からスリット２０内に突出するなどして実質的に幅を有さないように形成されていても構わない。前記スリット２０の幅としては、５ｍｍ以下、好ましくは３ｍｍ以下とするのがよい。
【００４１】
前記スリット２０は、概ね吸収体４の幅方向に沿うように形成されている。具体的には、吸収体４の両側部に形成された各２本のスリット２０、２０のうち、前側のスリット２０は後側に傾斜するように延び、後側のスリット２０は前側に傾斜するように延びている。前記スリット２０の内方側端縁から内側に延長した仮想線Ｓは、体液排出部位Ｈの中心部で交差するように形成されている。体液排出部位Ｈの中心部とは、着用者の排血口部（排尿口部）の概ね中心に当たる部分であり、この位置は装着位置や体型により若干の相違があるため、ある程度の大きさを有する部分となっている。従って、前記スリット２０、２０…は、内側延長線が長手方向中心線ＣＬ上の厳密な点で交差しなくても、ある程度近接していればよい。この範囲としては、長手方向中心線ＣＬ上で１０ｍｍ以下、好ましくは５ｍｍ以下である。
【００４２】
前記スリット２０、２０で前後が区切られた領域では、図２に示されるように、前記吸収体４と透液性表面シート３の間が非接合とされた非接合領域２２となっているとともに、この領域より幅方向中央側の領域では、前記吸収体４と不透液性裏面シート２の間が非接合とされた非接合領域２３となっている。一方、両側の非接合領域２２、２２間の概ね中高部６配置領域においては、中高部６と透液性表面シート３との間がホットメルト接着剤等で接合された接合領域２４とするのが好ましく、前記非接合領域２３の両側部はそれぞれ前記吸収体４と不透液性裏面シート２の間がホットメルト接着剤等で接合された接合領域２５とするのが好ましい。
【００４３】
前記スリット２０、２０で前後が区切られた領域は、図４(B)及び図５に示されるように、装着時に、脚の付け根の内側部分による幅方向両側から内側に向かう圧力（脚圧）によって、幅方向中央側に隣接する吸収体４の非肌側に入り込むように変形し、幅方向中央部の吸収体４を肌側に隆起させるように作用する吸収体変形領域２１となっている。
【００４４】
前記吸収体変形領域２１は、装着時に幅方向両側から内側に向かう脚圧が加わると、前後のスリット２０、２０の先端部をナプキン長手方向に繋ぐ仮想線又はその近傍を基端として幅方向内側に折れ曲がるとともに、中間部分が幅方向外側に折れ曲がることによって、断面Ｚ状を成すように変形しながら、幅方向中央側に隣接する吸収体４の非肌側に入り込むように移動する。このとき、前記吸収体変形領域２１の肌側は、前記非接合領域２２によって透液性表面シート３と縁切りされるとともに、両側の吸収体変形領域２１、２１間の非肌側は、前記非接合領域２３によって不透液性裏面シート２と縁切りされているため、前記吸収体変形領域２１の変形が透液性表面シート３や不透液性裏面シート２によって制限されることなく行われるようになり、幅方向中央部の吸収体の非肌側に入り込んで幅方向中央部の吸収体を肌側に隆起させやすくなっている。
【００４５】
本生理用ナプキン１の装着時における吸収体４の断面形状は、図５に示されるように、幅方向両側から内側に向かう脚圧によって、吸収体変形領域２１が断面Ｚ状に折れ曲がって幅方向中央部の吸収体４の非肌側に入り込み、幅方向中央部の吸収体４が緩やかに肌側に凸状に湾曲しながら肌側に隆起させることによって、全体として略Ω状に変形するようになる。このため、肌側に隆起した幅方向中央部が身体に密着してフィット性に優れるとともに、身体との間に隙間が生じず体液の漏れが防止できるようになる。このとき、図示例のように、幅方向中央部に前記中高部６が設けられていると、生理用ナプキン１をより一層身体に密着させることができるため好ましい。
【００４６】
前記吸収体変形領域２１の大きさとしては、図４(A)に示されるように、吸収体変形領域２１の幅方向外側のナプキン長手方向の長さＬ１（吸収体４の側縁における前後のスリット２０、２０間の長さ）は、５５〜８５ｍｍ、好ましくは６５〜７５ｍｍとするのがよい。また、吸収体変形領域２１の幅方向内側のナプキン長手方向長さＬ２（スリット２０の内方側端縁における前後のスリット２０、２０間の長さ）は、２０〜５０ｍｍ、好ましくは３５〜４５ｍｍとするのがよい。更に、吸収体変形領域２１のナプキン幅方向の長さＭは、１０〜３０ｍｍ、好ましくは１５〜２５ｍｍとするのがよい。吸収体４の側縁に対する前記スリット２０の傾斜角θは、３０〜８０°、好ましくは４５〜６５°とするのがよい。前記スリット２０の傾斜角θは、前後のスリット２０で同じ大きさとしてもよいし、異なるようにしてもよい。
【００４７】
前記吸収体変形領域２１の位置は、前述の通り、スリット２０の中心線を内側に延長した仮想線Ｓの交点が体液排出部位Ｈの中心部に位置するように形成されている。より具体的には、前記吸収体変形領域２１の外側縁（吸収体４の側縁）が、ウイング状フラップＷの基端長さの範囲内に位置するのが好ましい。これにより、脚圧が作用しやすいウイング状フラップＷの範囲内に吸収体変形領域２１が位置するため、前記吸収体変形領域２１が脚圧によって変形しやすくなる。また、別の観点から吸収体変形領域２１の位置を規定すると、前記スリット２０を内側に延長した仮想線の交点を通るナプキン幅方向線ＣＷが、ウイング状フラップＷの長手範囲の中間部、好ましくはウイング状フラップＷの長手方向中央部を通るように配置するのが好ましい。具体的には、前記ナプキン幅方向線ＣＷとウイング状フラップＷの長手方向中央部とのナプキン長手方向の離間距離は、２０ｍｍ以内、好ましくは１０ｍｍ以内、より好ましくは５ｍｍ以内とするのがよい。
【００４８】
前記吸収体変形領域２１には、種々のパターンで圧搾部を施すことにより、この吸収体変形領域２１にコシを持たせるようにしてもよい。前記圧搾部は、吸収体変形領域２１を構成する吸収体４の肌側又は非肌側からの圧搾により形成したものである。前記圧搾部のパターンとしては、ナプキン長手方向に沿うとともに幅方向に離間する複数の溝からなる縦縞状や、ナプキン幅方向に沿うとともに長手方向に離間する複数の溝からなる横縞状、格子状、斜め格子状、正格子又は千鳥格子に配置したドット状など種々のパターンで形成することができる。
【００４９】
図１及び図４(A)に示されるように、吸収体４の幅方向中央部に前記中高部６を配置した場合において、前記スリット２０は、前記中高部６より幅方向外側に形成するのが好ましい。すなわち、前記スリット２０は、前記中高部６の近傍外側位置を内側端として形成するのが好ましい。これにより、装着時に脚圧によって吸収体変形領域２１が変形したとき、幅方向中央部の中高部６が配置された吸収体４の非肌側に入り込むようになるため、中高部６がより一層肌側に向けて隆起しやすくなり、身体との密着性が更に向上するようになる。前記中高部６とスリット２０の内側端とのナプキン幅方向の離間距離は、１０ｍｍ以下、好ましくは５ｍｍ以下とするのがよい。
【００５０】
図１に示されるように、前記圧搾溝８を形成した場合、前記圧搾溝８は、前記スリット２０において前後に離間するように形成するのが好ましい。すなわち、体液排出部位Ｈに対応する領域の両側部にそれぞれ、概ねナプキン長手方向に沿って、吸収体変形領域２１より前側から後側にかけて形成された圧搾溝８が、スリット２０が通る部分において分断するように形成するのが好ましい。これによって、前後のスリット２０、２０によって吸収体変形領域２１が確実に前後方向に分断し、吸収体変形領域２１のみが脚圧によって変形できるようになる。また、吸収体変形領域２１の基端部にナプキン長手方向に沿う圧搾溝８が通るようになるため、図５に示されるように、この圧搾溝８を基点として吸収体変形領域２１が折れ曲がりやすくなる。
【００５１】
前記スリット２０の平面形状は、図１及び図４(A)に示されるように、吸収体４の側縁から体液排出部位Ｈの中心部に向けて直線状に延びるように形成することができる。直線状に形成することにより、スリット２０を比較的簡単に設けることができるとともに、幅方向両側からの脚圧によってスリット２０に沿って吸収体変形領域２１が移動しやすくなる。
【００５２】
また、前記スリット２０の平面形状は、図６に示されるように、吸収体４の側縁から体液排出部位Ｈの中心部に向けて長手方向中心線ＣＬ側に膨出する曲線状に延びるように形成してもよい。図示例では、吸収体４の両側縁から内側に向けて前記スリットが円弧状に延びるとともに、前記スリット２０を内側に延長した円弧状の仮想線Ｓ、Ｓが体液排出部位Ｈの中心部で接するように形成されている。このような曲線状に形成することにより、スリット２０が脚の付け根の内側部分に沿った形状となるため、スリット２０に対して脚圧がほぼ均等に作用するようになり、吸収体変形領域２１の変形がスムーズになるとともに、幅方向中央部の吸収体部分に余計な力が加わらないため、この部分のヨレやシワが防止でき、身体とのフィット性がより一層向上できる。
【００５３】
前記スリット２０は、図４(A)に示されるように、吸収体側縁からスリット２０の内側端まで連続した切り込みが形成された連続線としてもよいし、図７に示されるように、途中で分断する間欠部２０ａが設けられた間欠線としてもよい。前記連続線とした場合には、脚圧によって吸収体変形領域２１が変形しやすくなる。一方で、連続した切り込みが形成されるため、吸収体が低密度の場合や低目付の場合、エンボスなどによる高剛性化手段を講じていない場合には、吸収体変形領域２１の吸収体が崩れるおそれがある。これに対して、前記スリット２０を間欠線とした場合には、吸収体の崩れが防止でき、脚圧による変形がしやすくなる。前記間欠部２０ａは、あまり多く設けると、吸収体変形領域２１の変形が生じにくくなるため、３箇所以内、好ましくは１箇所程度とするのがよい。
【００５４】
前記吸収体４は、図８及び図９に示されるように、肌側に配置された上層４Ａと、非肌側に配置された下層４Ｂとからなり、前記下層４Ｂに前記スリット２０が形成され、上層４Ａには前記スリット２０が形成されないようにしてもよい。これによって、下層４Ｂに形成される吸収体変形領域２１において上層４Ａとの２層構造となるため、吸収体の崩れが防止でき、吸収体変形領域２１が確実に変形できるようになる。本実施形態においては、装着時に脚圧を受けたとき、図１０に示されるように、下層４Ｂの吸収体変形領域２１のみが幅方向中央側の吸収体部分の非肌側に入り込むように変形する。前記下層４Ｂは、図示例では幅方向中央部で離間して左右にそれぞれ配置されているが、幅方向に連続する１枚のシートからなるものでもよい。
【００５５】
次に、前記サイド不織布７の接着領域について説明する。図１１に示されるように、前記サイド不織布７は、吸収体変形領域２１と重なる領域が、非肌当接面側の部材（透液性表面シート３）に接着しない非接着領域２６とし、それ以外の領域が、非肌当接面側の部材（透液性表面シート３又は不透液性裏面シート２）に接着する接着領域２７とするのが好ましい。前記非接着領域２６を設けることによって、吸収体変形領域２１が透液性表面シート３と非接着とされるとともに、前記サイド不織布７とも非接着となり、吸収体変形領域２１とサイド不織布７との縁が切れるため、脚圧によって吸収体変形領域２１が内側に変形するのに伴って立体ギャザーＢＳの起立形状が変形するのが防止でき、立体ギャザーＢＳと身体とのフィット性が低下せず、体液の堰き止め効果が維持できるようになる。一方、前記吸収体変形領域２１より前後においては、接着領域２７とされているため、前記サイド不織布７によって吸収体４の両側部が補強され、脚圧を受けたときでも吸収体４の崩れやヨレが防止できる。
【００５６】
本実施形態の前記非接着領域２６は、吸収体変形領域２１よりナプキン長手方向及びナプキン幅方向に対して若干外側位置まで延在して形成するのが好ましい。前記非接着領域２６のナプキン長手方向の長さとしては、３０〜５０ｍｍ、好ましくは３５〜４５ｍｍとするのがよい。
【００５７】
また、サイド不織布７の接着領域に関する他の実施形態として、図１２に示されるように、前記サイド不織布７は、前記スリット２０と重なる領域が、非肌当接面側の部材（透液性表面シート３）に接着しない非接着領域２６とし、それ以外の領域が、非肌当接面側の部材（透液性表面シート３又は不透液性裏面シート２）に接着する接着領域２７とすることができる。前記サイド不織布７をスリット２０と重なる領域で非接着とすることによって、上記と同様に、脚圧による吸収体変形領域２１の変形に伴う立体ギャザーＢＳの変形が防止できる。また、本実施形態では、吸収体変形領域２１の側縁部が透液性表面シート３とサイド不織布７との接合シート部分によって覆われるため、脚圧による吸収体変形領域２１の崩れが抑制できるようになる。
【００５８】
本実施形態においても前記非接着領域２６は、前記スリット２０と重なる領域よりナプキン長手方向及び幅方向に対して若干外側位置まで延在して形成するのが好ましい。前記非接着領域２６のナプキン長手方向の長さとしては、３〜２０ｍｍ、好ましくは５〜１０ｍｍとするのがよい。
【００５９】
図１３に示されるように、臀部側の両側部にそれぞれ、前後に離間する２本のスリット３０、３０…を設けることによって、前記スリット３０、３０で前後が区切られた領域が、装着時に臀部で幅方向両側から内側に向かう圧力によって、幅方向中央側に隣接する吸収体の非肌側に入り込むように変形して幅方向中央部の吸収体４を臀裂部にフィットするように隆起させる吸収体変形領域３１となるようにしてもよい。
【符号の説明】
【００６０】
１…生理用ナプキン、２…不透液性裏面シート、３…透液性表面シート、４…吸収体、５…被包シート、６…中高部、７…サイド不織布、８〜１０…圧搾溝、１１・１２…糸状弾性伸縮部材、２０…スリット、２１…吸収体変形領域、２２・２３…非接着領域、２４・２５…接着領域、２６…非接着領域、２７…接着領域
【図１】
0006694734.tif 000002
【図２】
0006694734.tif 000003
【図３】
0006694734.tif 000004
【図４】
0006694734.tif 000005
【図５】
0006694734.tif 000006
【図６】
0006694734.tif 000007
【図７】
0006694734.tif 000008
【図８】
0006694734.tif 000009
【図９】
0006694734.tif 000010
【図１０】
0006694734.tif 000011
【図１１】
0006694734.tif 000012
【図１２】
0006694734.tif 000013
【図１３】
0006694734.tif 000014